(57)【要約】【課題】複数のチャンネルを同時に使用して無線通信する際に、各チャンネルのデータ伝送レートの低下を防止することができる携帯端末装置を実現する。【解決手段】５ＧＨｚ帯の周波数を使用して無線通信する無線部２０１、変復調部２０２と、８００ＭＨｚ帯の周波数を使用して無線通信する無線部２０３、変復調部２０４と、該いずれか一方の無線周波数帯域を第１のチャンネルに、もう一方の無線周波数帯域を第２のチャンネルに、それぞれ割り当て、それら２つのチャンネルを使用して同時に通信する制御を行う端末制御部２０７とを備える。【選択図】    図３
2004229087.tif 000002
【特許請求の範囲】
【請求項１】
各々異なる無線周波数帯域の周波数を使用して無線通信する複数の無線通信手段と、
前記各無線周波数帯域を異なるチャンネルに割り当て、少なくとも二つ以上の前記チャンネルを使用して同時に通信する制御を行う端末制御手段と、
を備えたことを特徴とする携帯端末装置。
【請求項２】
各々異なる無線周波数帯域の周波数を使用して無線通信する複数の無線通信手段と、
前記各無線周波数帯域を異なるチャンネルに割り当て、少なくとも二つ以上の通信方式を使用して同時に通信する制御を行う端末制御手段と、
を備えたことを特徴とする携帯端末装置。
【請求項３】
前記端末制御手段は、前記いずれか一つのチャンネルを再送専用に使用することを特徴とする請求項１または請求項２に記載の携帯端末装置。
【請求項４】
前記端末制御手段は、前記各チャンネルの通信品質に基づいて、それぞれのチャンネルをメインチャンネルとして使用するか、あるいはサブチャンネルとして使用するか切り替える
ことを特徴とする請求項１または請求項２に記載の携帯端末装置。
【請求項５】
複数の無線周波数帯域を異なるチャンネルに割り当てる過程と、
少なくとも二つ以上の前記チャンネルを使用して同時に無線通信する過程と、前記いずれか一つのチャンネルを使用して受信データの再送を無線通信により行う過程と、
を含むことを特徴とする誤りデータ再送方法。
【発明の詳細な説明】
【０００１】
【発明の属する技術分野】
本発明は、複数のチャンネルを同時に使用して無線通信する、携帯電話機等の携帯端末装置、及び誤りデータ再送方法に関する。
【０００２】
【従来の技術】
無線通信によりデータを送受信する携帯電話機等の携帯端末装置においては、無線基地局（以下、単に基地局と称する）とデータを送受信する際に、無線通信回線の品質の状態によってエラーが発生する。通常、このエラーを訂正するために、通信データ内に誤り訂正符号が設けられている。また、エラーが発生した場合には、再送要求によりデータを再度取得することで品質のよいデータの受信を行っている。しかしながら、再送時には伝送レートが低下するという問題がある。
【０００３】
このため、移動局が伝送要求を基地局へ送信すると、基地局がその時点で使用可能な全てのタイムスロットを通話チャンネルとして割り当てることにより、伝送効率のアップを達成しているものがある（例えば、特許文献１参照）。
【０００４】
【特許文献１】
特開２００２−１８６０１６号公報
【０００５】
【発明が解決しようとする課題】
しかし、上述の従来例のように、使用可能な全てのタイムスロットを特定の移動局に割り当ててしまうと、後から他の移動局が当該基地局と通信を開始することができない。また、符号分割多元接続（ＣＤＭＡ）方式の場合、端末の接続数が増加すると、端末に割り当てることができる回線の容量自体が小さくなる。例えば基地局の最大接続数が２台である場合、同時に２台接続したときには、１チャンネル当たりのデータ伝送レートが１台のみ接続したときに比べて１／２に減少する。したがって、上記従来の携帯端末装置では、２台分の２チャンネルの回線を使用し、且つ１つのチャンネルは再送専用なので、実質的なデータ伝送レートは１／４に減少することになる。この結果、通信時間が増大する等の問題が生じる。この問題はパケット通信によりデータを送受する場合にも同様である。通常は一つのデータ伝送フレームを１パケットで伝送することができるが、該１フレームを伝送するために要するパケット数が増大する。
【０００６】
本発明は、このような事情を考慮してなされたもので、その目的は、複数のチャンネルを同時に使用して無線通信する際に、各チャンネルのデータ伝送レートの低下を防止することができる携帯端末装置を提供することにある。
【０００７】
また、本発明は、その携帯端末装置における誤りデータ再送方法を提供することも目的とする。
【０００８】
【課題を解決するための手段】
上記の課題を解決するために、請求項１に記載の携帯端末装置は、各々異なる無線周波数帯域の周波数を使用して無線通信する複数の無線通信手段と、前記各無線周波数帯域を異なるチャンネルに割り当て、少なくとも二つ以上の前記チャンネルを使用して同時に通信する制御を行う端末制御手段とを備えたことを特徴としている。
【０００９】
請求項２に記載の携帯端末装置は、各々異なる無線周波数帯域の周波数を使用して無線通信する複数の無線通信手段と、前記各無線周波数帯域を異なるチャンネルに割り当て、少なくとも二つ以上の通信方式を使用して同時に通信する制御を行う端末制御手段とを備えたことを特徴としている。
【００１０】
請求項３に記載の携帯端末装置においては、前記端末制御手段は、前記いずれか一つのチャンネルを再送専用に使用することを特徴とする。
【００１１】
請求項４に記載の携帯端末装置においては、前記端末制御手段は、前記各チャンネルの通信品質に基づいて、それぞれのチャンネルをメインチャンネルとして使用するか、あるいはサブチャンネルとして使用するか切り替えることを特徴とする。
【００１２】
請求項５に記載の誤りデータ再送方法は、複数の無線周波数帯域を異なるチャンネルに割り当てる過程と、少なくとも二つ以上の前記チャンネルを使用して同時に無線通信する過程と、前記いずれか一つのチャンネルを使用して受信データの再送を無線通信により行う過程とを含むことを特徴としている。
【００１３】
【発明の実施の形態】
以下、図面を参照し、本発明の一実施形態を説明する。本実施形態においては、携帯端末装置の具体的な例として、無線基地局（以下、単に基地局と称する）と無線通信する際に使用する無線周波数帯域として、５ＧＨｚと８００ＭＨｚの２つの帯域を使用する携帯電話機について説明する。
【００１４】
図１，図２は、本実施形態による携帯電話機と基地局の接続構成例を示す図である。
先ず、図１について説明する。基地局１は、使用する無線周波数帯域が５ＧＨｚであり、サービスエリア１００を提供する。基地局２は、使用する無線周波数帯域が８００ＭＨｚであり、サービスエリア１０１を提供する。基地局１と基地局２はＧＰＳ時計により同期が取られている。
【００１５】
端末３は本実施形態による携帯電話機である。この端末３は、５ＧＨｚと８００ＭＨｚの２つの無線周波数帯域に対応可能なデュアル通信対応の端末であり、基地局１と基地局２に異なる周波数（５ＧＨｚ帯の周波数と８００ＭＨｚ帯の周波数）で同時に通信することができる。但し、この場合には、基地局１及び２の両方のサービスエリア１００及び１０１内に、端末３が存在している必要がある。
【００１６】
一方、図２において、基地局４は、５ＧＨｚと８００ＭＨｚの２つの無線周波数帯域に対応可能なデュアル通信対応の基地局である。この場合には、端末３は、基地局４のサービスエリア内に存在していれば、基地局４との間で異なる周波数（５ＧＨｚ帯の周波数と８００ＭＨｚ帯の周波数）で同時に通信することができる。
【００１７】
図３は、本実施形態による携帯電話機（端末３）の構成を示すブロック図である。図３において、無線部２０１はアンテナを有し、５ＧＨｚ帯の無線周波数を使用して基地局と無線通信する。変復調部２０２は５ＧＨｚ帯の変復調を行う。無線部２０３はアンテナを有し、８００ＭＨｚ帯の無線周波数を使用して基地局と無線通信する。変復調部２０４は８００ＭＨｚ帯の変復調を行う。
【００１８】
操作部２０５はテンキー等の各種入力キーから構成される。表示部２０６は液晶表示パネルおよび表示制御回路から構成される。端末制御部２０７は回路各部を制御する。例えばチャンネルの割り当て等の通信制御を行う。エラー検出／処理部２０８は、２系統の無線部２０１，２０３からの受信データについてのエラーを検出する。データ実行部２０９は、受信したデータを処理する。例えば、受信データのうち、エラーにより欠落した部分の補間処理を行う。
【００１９】
次に、図４，図５を参照して、図３に示す携帯電話機のデータ受信に係る動作を説明する。図４は、図３に示す携帯電話機の端末制御部２０７が行う受信制御処理の流れを示すフローチャートである。図５は、図３に示す携帯電話機が行うデータ補間処理の流れを示す概念図である。なお、図５において上記図４の各ステップに対応する処理には同一の符号を付している。
【００２０】
携帯電話機は、通常、５ＧＨｚ帯を使用して基地局とデータを送受信している。図４，図５において、携帯電話機は、５ＧＨｚ帯のデータを受信すると、エラーの有無を検出し、受信データを一旦バッファに格納する（ステップＳ１〜Ｓ３）。ここで、エラーを検出したときには、エラーの箇所のデータの再送要求を８００ＭＨｚ帯で基地局へ送信する（ステップＳ６）。次いで、この再送データを８００ＭＨｚ帯を使用して基地局から受信する（ステップＳ７）。
【００２１】
次いで、ステップＳ７で受信した再送データに基づいて、ステップＳ３でバッファリングした受信データのうち、欠落しているデータを補間する（ステップＳ４）。次いで、この補間後のデータを出力する（ステップＳ５）。
【００２２】
上述したように本実施形態によれば、通常のデータ送受信用の通信チャンネル（メインチャンネル）と再送専用のチャンネル（サブチャンネル）に、それぞれ異なる無線周波数帯域を用いることによって、各チャンネルのデータ伝送レートを確保することができる。
【００２３】
なお、本実施形態では、一方の無線周波数帯域を再送専用としているので、２チャンネルすべてを通常のデータ通信に使用する場合と比べて、消費電力が少ないという効果が得られる。また、データ配列を単純化することができる。
【００２４】
なお、上述した実施形態において、携帯電話機が、各チャンネルの通信品質に基づいて、品質のよい方のチャンネルを通信チャンネル（メインチャンネル）に適宜切り替えるようにしてもよい。これにより、一方の無線周波数帯域の通信品質が悪い場合でも、通信品質を良好に保つことができる。
【００２５】
また、３つ以上の無線周波数帯域を異なるチャネルに割り当て、２つ以上のチャネルを使用して同時に無線通信するようにしてもよい。
さらに、異なる２つの周波数帯に割り振られたチャンネル間の通信をそれぞれＣＤＭＡ方式とＴＤＭＡ方式というように異なる通信方式で行ってもよい。
【００２６】
以上、本発明の実施形態を図面を参照して詳述してきたが、具体的な構成はこの実施形態に限られるものではなく、本発明の要旨を逸脱しない範囲の設計変更等も含まれる。
【００２７】
【発明の効果】
以上説明したように、本発明によれば、各チャンネルにそれぞれ異なる無線周波数帯域を用いるので、複数のチャンネルを同時に使用して無線通信する際に、各チャンネルのデータ伝送レートの低下を防止することができる。
【００２８】
また、いずれか一つのチャンネルを再送専用に使用するので、全てのチャンネルを通常のデータ通信に使用する場合と比べて、消費電力が少ないという効果が得られる。
【００２９】
また、各チャンネルの通信品質に基づいて適宜メインチャンネルを切り替えるので、いずれかの無線周波数帯域の通信品質が悪い場合でも、通信品質を良好に保つことができる。
【図面の簡単な説明】
【図１】本発明の一実施形態による携帯電話機と基地局の第１の接続構成例を示す図である。
【図２】同実施形態による携帯電話機と基地局の第２の接続構成例を示す図である。
【図３】同実施形態による携帯電話機（端末３）の構成を示すブロック図である。
【図４】図３に示す携帯電話機が行う受信制御処理の流れを示すフローチャートである。
【図５】図３に示す携帯電話機が行うデータ補間処理の流れを示す概念図である。
【符号の説明】
１，２，４…基地局、３…端末（携帯電話機）、１００，１０１…サービスエリア、２０１…無線部（５ＧＨｚ）、２０２…変復調部（５ＧＨｚ）、２０３…無線部（８００ＭＨｚ）、２０４…変復調部（８００ＭＨｚ）、２０５…操作部、２０６…表示部、２０７…端末制御部、２０８…エラー検出／処理部、２０９…データ実行部
【図１】
2004229087.tif 000003
【図２】
2004229087.tif 000004
【図３】
2004229087.tif 000005
【図４】
2004229087.tif 000006
【図５】
2004229087.tif 000007